【事件の表示】
　平成　８年特許願第５３０３２６号「埋込層形容量素子」拒絶査定不服審判事件〔平成　８年１０月１０日国際公開、ＷＯ９６／３１８９０、平成１１年　３月２３日国内公表、特表平１１−５０３２７１〕について、次のとおり審決する。
【結　論】
　本件審判の請求は、成り立たない。
【理　由】
第１　手続の経緯
　本願は、１９９６年３月２２日（パリ条約による優先権主張外国庁受理１９９５年４月３日、米国）を国際出願日とする出願であって、平成１９年４月４日付けで拒絶査定がなされ、これに対し、同年７月１４日に拒絶査定に対する審判請求がなされるとともに、同年８月１３日付けで手続補正がなされたものである。
　
第２　平成１９年８月１３日付けの手続補正についての補正却下の決定
　
　［補正却下の決定の結論］
　　平成１９年８月１３日付けの手続補正を却下する。
　
　［理由］
　１　平成１９年８月１３日付けの手続補正（以下、「本件補正」という。）の主な内容
　本件補正により、補正前の請求項１は補正後の請求項１として、以下のとおり補正された。
　
［補正前の請求項１］
「【請求項１】
　所定の長さ寸法及び幅寸法を有し、第１面及び第２面を備えた第１の誘電層と、
　所定の長さ寸法及び幅寸法を有し、これらの長さ寸法及び幅寸法が該第１の誘電層の該長さ寸法及び幅寸法よりもそれぞれ小さく、該第１の誘電層の該第１面に配され、他の導電部材と非接触状態にある一層のみの電極層と、
　所定の長さ寸法及び幅寸法を有し、これらの長さ寸法及び幅寸法が該第１の誘電層の該長さ寸法及び幅寸法とそれぞれ対応しているとともに該電極層の上にある第２の誘電層と、
　該第１の誘電層の該第２面に接しており、互いに異なる極性が与えられる２つの互いに離間した接続部材とからなり、
　前記一層のみの電極層は、完全に該第１及び第２の誘電層の中に埋め込まれ、且つ該接続部材と非接触状態にあり、
　各接続部材は該第１の誘電層の該幅寸法又は長さ寸法を超えて該第１の誘電層の第２面から突出している
　埋込層形容量素子。」
　
［補正後の請求項１］
「【請求項１】
　所定の長さ寸法及び幅寸法を有し、第１面及び第２面を備えた第１の誘電層と、
　所定の長さ寸法及び幅寸法を有し、これらの長さ寸法及び幅寸法が該第１の誘電層の該長さ寸法及び幅寸法よりもそれぞれ小さく、該第１の誘電層の該第１面に配され、他の導電部材と非接触状態にある単一の電極層と、
　所定の長さ寸法及び幅寸法を有し、これらの長さ寸法及び幅寸法が該第１の誘電層の該長さ寸法及び幅寸法とそれぞれ対応しているとともに該単一の電極層の上にある第２の誘電層と、
　該第１の誘電層の該第２面に接しており、互いに異なる極性が与えられる２つの互いに離間した接続部材とからなり、
　前記単一の電極層は、完全に該第１及び第２の誘電層の中に埋め込まれ、且つ該接続部材と非接触状態にあり、
　各接続部材は該第１の誘電層の該幅寸法及び長さ寸法の少なくとも一方を超えてそのまま該第１の誘電層の第２面から突出している
　埋込層形容量素子。」と補正された。
　
　２　特許法第１７条の２第３項について
（１）本件補正により、補正前の請求項１の「各接続部材は該第１の誘電層の該幅寸法又は長さ寸法を超えて該第１の誘電層の第２面から突出している」は、補正後の請求項１として「各接続部材は該第１の誘電層の該幅寸法及び長さ寸法の少なくとも一方を超えてそのまま該第１の誘電層の第２面から突出している」と補正された。
　補正後の請求項１における「幅寸法及び長さ寸法の少なくとも一方」とは、「幅寸法」、「長さ寸法」、「幅寸法及び長さ寸法」の３通りを含むので、補正後の請求項１では、「各接続部材は該第１の誘電層の該
幅寸法
長さ寸法
幅寸法及び長さ寸法
（２）しかし、本願の願書に最初に添付した明細書又は図面（以下、「当初明細書等」という。）には、「各接続部材は該第１の誘電層の該
幅寸法及び長さ寸法
（３）よって、「各接続部材は該第１の誘電層の該幅寸法及び長さ寸法の少なくとも一方を超えてそのまま該第１の誘電層の第２面から突出している」との補正事項は、当初明細書等のすべての記載を総合することにより導かれる技術的事項との関係において、新たな技術的事項を導入するものであり、当初明細書等に記載した事項の範囲内においてなされたものではない。
（４）以上のとおり、上記補正事項を含む本件補正は、平成１４年法律第２４号改正附則第３条第１項によりなお従前の例によるとされる同法による改正前の特許法第１７条の２第３項に規定する要件を満たしていないので、同法第１５９条第１項において読み替えて準用する同法第５３条第１項の規定により却下すべきものである。
　
　３　特許法第１７条の２第４項について
（１）本件補正により、補正前の請求項１の「各接続部材は該第１の誘電層の該幅寸法又は長さ寸法を超えて該第１の誘電層の第２面から突出している」は、補正後の請求項１として「各接続部材は該第１の誘電層の該幅寸法及び長さ寸法の少なくとも一方を超えてそのまま該第１の誘電層の第２面から突出している」と補正された。
（２）補正前の請求項１における「幅寸法又は長さ寸法」とは、「幅寸法」、「長さ寸法」の２通りを含むので、補正前の請求項１では、「各接続部材は該第１の誘電層の該
幅寸法
長さ寸法
　これに対して、補正後の請求項１における「幅寸法及び長さ寸法の少なくとも一方」とは、「幅寸法」、「長さ寸法」、「幅寸法及び長さ寸法」の３通りを含むので、補正後の請求項１では、「各接続部材は該第１の誘電層の該
幅寸法
長さ寸法
幅寸法及び長さ寸法
（３）すなわち、「各接続部材は該第１の誘電層の該幅寸法及び長さ寸法の少なくとも一方を超えてそのまま該第１の誘電層の第２面から突出している」との補正事項は、実質的に特許請求の範囲の拡張を目的とするものであって、特許法第１７条の２第４項第２号に掲げる特許請求の範囲の減縮を目的とするものに該当せず、さらに、特許法第１７条の２第４項第１号、第３号、及び第４号に掲げる請求項の削除、誤記の訂正、明りょうでない記載の釈明のいずれの事項をも目的とするものではないので、特許法第１７条の２第４項に規定する要件を満たしていない。
（４）したがって、本件補正は、平成１４年法律第２４号改正附則第２条第１項によりなお従前の例によるとされる同法による改正前の特許法第１７条の２第４項に規定する要件を満たしていないので、同法第１５９条第１項において読み替えて準用する同法第５３条第１項の規定により却下すべきものである。 
　
第３　本願発明
　平成１９年８月１３日付けの手続補正は上記のとおり却下されたので、本願の請求項１に係る発明（以下、「本願発明」という。）は、平成１８年１０月２４日付け手続補正書の特許請求の範囲の請求項１に記載された事項により特定される、以下のとおりのものである。
「【請求項１】
　所定の長さ寸法及び幅寸法を有し、第１面及び第２面を備えた第１の誘電層と、
　所定の長さ寸法及び幅寸法を有し、これらの長さ寸法及び幅寸法が該第１の誘電層の該長さ寸法及び幅寸法よりもそれぞれ小さく、該第１の誘電層の該第１面に配され、他の導電部材と非接触状態にある一層のみの電極層と、
　所定の長さ寸法及び幅寸法を有し、これらの長さ寸法及び幅寸法が該第１の誘電層の該長さ寸法及び幅寸法とそれぞれ対応しているとともに該電極層の上にある第２の誘電層と、
　該第１の誘電層の該第２面に接しており、互いに異なる極性が与えられる２つの互いに離間した接続部材とからなり、
　前記一層のみの電極層は、完全に該第１及び第２の誘電層の中に埋め込まれ、且つ該接続部材と非接触状態にあり、
　各接続部材は該第１の誘電層の該幅寸法又は長さ寸法を超えて該第１の誘電層の第２面から突出している
　埋込層形容量素子。」
　
第４　特許法第２９条第２項について
　１　刊行物に記載された発明
　（ア）刊行物１：実願昭５５−４００９４号（実開昭５６−１４１４４０号）のマイクロフィルム
　原査定の拒絶の理由に引用され、本願の優先権主張日前に日本国内において頒布された刊行物１には、「コンデンサ」（考案の名称）に関して、第１図及び第２図とともに以下の事項が記載されている。（なお、下線は、引用箇所のうち特に強調する部分に付加した。以下、同様。）
「第１図は従来の積層コンデンサの一例を示す縦断面図である。図において、たとえばセラミツクシートなどから成る
誘導体１の主表面には
２つの電極２，３を形成し
誘電体６の主表面のほぼ中央部に導電体７が形成され
誘電体（あるいは絶縁体）８が載置される
　このように積層された第１および第２の誘電体層４，５および誘電体８はたとえば電気炉などによつて焼成され、一体化される。最後に、
対向する側面には、
外部電極９，１０が付与され、電極２と外部電極９とが電気的に接続されかつ電極３と外部電極１０とが電気的に接続される。
「第２図はこの考案の一実施例の縦断面図である。この
第２図は以下の点を除いて第１図と同じである。すなわち、外部電極１２および１３の先端部が所定の面積ｄ１だけ導電体７と対向するように外部電極１２，１３を形成したものである。このように、外部電極１２，１３のそれぞれの端部が導電体７と対向することによつて、この部分で浮遊容量が形成されることになる。この浮遊容量は電極２と導電体７および導電体７と電極３との間で形成される静電容量に並列接続されたものとなる。そして、所望の静電容量が得られない場合に、外部電極１２，１３の端部の一部を除去し、面積を小さくして浮遊容量を減少させるか、あるいは外部電極１２、１３の導電体に対向する面積を増加させるために電極をさらに付与して浮遊容量を増加させるかすることによつて、静電容量を簡単に調整することができる。
「この考案によれば、
外部電極を容量用電極として作用させ、この付与面積を変えることによつて、この外部電極と電極との間で生じる浮遊容量を積極的に利用し、全体の静電容量を簡単かつ容易に調整せんとしたものであつて、誘電体や内部の電極に傷をつけることがなく、耐湿性や耐圧性が低下することがない。しかも、外部電極は外側から見える部分に形成すればよいものであるため、その一部を削除したり付与したりするのも極めて簡単に行なうことができる。
　さらに、第２図には、「コンデンサの対向する側面及び上下両端部に連続して設けられた外部電極１２，１３」が示されている。
　以上から、刊行物１には、「誘導体１の主表面に、２つの電極２，３が形成され、その上に誘電体６が形成され、誘電体６の主表面のほぼ中央部に導電体７が形成され、その上に誘電体８が形成され、コンデンサの対向する側面及び上下両端部に連続して外部電極１２，１３が設けられ、外部電極１２，１３の先端部が所定の面積ｄ１だけ導電体７と対向するようにされ、電極２と外部電極１２とが電気的に接続され、かつ電極３と外部電極１３とが電気的に接続され、外部電極１２，１３のそれぞれの端部が導電体７と対向することによって、この部分で浮遊容量が形成され、この浮遊容量は電極２と導電体７および導電体７と電極３との間で形成される静電容量に並列接続されたものとなり、外部電極１２，１３の端部の一部を除去したりして、静電容量を簡単に調整することができるコンデンサ。」が記載されている。
　
　（イ）刊行物２：実願昭５７−８４６４２号（実開昭５８−１８９６１３号）のマイクロフィルム
　原査定の拒絶の理由に引用され、本願の優先権主張日前に日本国内において頒布された刊行物２には、「発振回路」（考案の名称）に関して、第１図及び第２図とともに以下の事項が記載されている。
「１）誘電体基板上に形成されたマイクロストリツプ線路から成るリアクタンス素子とコンデンサを有して成る発振回路において、前記
コンデンサとして、前記基板内に埋置された導体と前記マイクロストリツプ線路導体が基板を構成する誘導体を間に介在させて成る容量を用いる
「
従来
チツプコンデンサを用いていた
「
コンデンサ５は、誘電体基板内に埋置された導体とマイクロストリツプ線路導体が基板を構成する誘電体を間に介在させて成る容量より構成されたものである
　第２図は第１図におけるコンデンサ５の構造を示す断面図である。同図において７，８はそれぞれストリツプ線路導体、９は前記線路導体７，８と共にコンデンサを構成するための下層導体、１０は誘電体基板である。
　
コンデンサは、基板１０の上部に線路導体７，８を配し、該２導体７，８の下層に基板１０と同一誘電率、同誘導率温度係数の絶縁層を介して導体９を配することにより形成された容量により形成している。
　さらに、第２図には、「誘電体基板１０内に埋置された下層導体９と誘電体基板１０表面の２つの互いに離間した導体７，８からなる容量より構成されたコンデンサ」が示されている。
　以上から、刊行物２には、「誘電体基板１０内に埋置された下層導体９と誘電体基板１０表面の２つの互いに離間した導体７，８からなる容量より構成されたコンデンサを、従来のチップコンデンサの代わりに用いること」が記載されている。
　
　２　本願発明と刊行物１に記載された発明（以下、「引用発明」という。）との対比・判断
　本願発明と引用発明とを対比する。（なお、引用発明の第２図の構成と本願発明の構成は、上下関係が逆なので、対応関係も上下が逆になっている。）
（ａ）引用発明の「コンデンサ」は、本願発明の「容量素子」に相当する。
（ｂ）引用発明の「誘電体８」は、刊行物１の第２図などから、所定の長さ寸法及び幅寸法を有し、第１面及び第２面を備えていることは明らかであるから、引用発明の「所定の長さ寸法及び幅寸法を有し、第１面及び第２面を備えた誘電体８」は、本願発明の「所定の長さ寸法及び幅寸法を有し、第１面及び第２面を備えた第１の誘電層」に相当する。
（ｃ）引用発明の「導電体７」は、刊行物１の第２図などから、所定の長さ寸法及び幅寸法を有し、これらの長さ寸法及び幅寸法が誘電体８の該長さ寸法及び幅寸法よりもそれぞれ小さく、該誘電体８の下面に配され、外部電極１２，１３と非接触状態にあることは明らかであるから、引用発明の「所定の長さ寸法及び幅寸法を有し、これらの長さ寸法及び幅寸法が誘電体８の該長さ寸法及び幅寸法よりもそれぞれ小さく、該誘電体８の下面に配され、外部電極１２，１３と非接触状態にある導電体７」は、本願発明の「所定の長さ寸法及び幅寸法を有し、これらの長さ寸法及び幅寸法が該第１の誘電層の該長さ寸法及び幅寸法よりもそれぞれ小さく、該第１の誘電層の該第１面に配され、他の導電部材と非接触状態にある」「電極層」に相当する。
（ｄ）引用発明の「誘電体６」は、刊行物１の第２図などから、所定の長さ寸法及び幅寸法を有し、これらの長さ寸法及び幅寸法が誘電体８の該長さ寸法及び幅寸法とそれぞれ対応しているとともに導電体７の下にあることは明らかであるから、引用発明の「所定の長さ寸法及び幅寸法を有し、これらの長さ寸法及び幅寸法が誘電体８の該長さ寸法及び幅寸法とそれぞれ対応しているとともに導電体７の下にある誘電体６」は、本願発明の「所定の長さ寸法及び幅寸法を有し、これらの長さ寸法及び幅寸法が該第１の誘電層の該長さ寸法及び幅寸法とそれぞれ対応しているとともに該電極層の上にある第２の誘電層」に相当する。
（ｅ）引用発明の「外部電極１２，１３」は、互いに異なる極性が与えられることは明らかであり、刊行物１の第２図から、２つの外部電極１２，１３は互いに離間していることは明らかであるから、引用発明の「互いに異なる極性が与えられる２つの互いに離間した外部電極１２，１３」は、本願発明の「互いに異なる極性が与えられる２つの互いに離間した接続部材」に相当する。
（ｆ）引用発明の「導電体７」は、刊行物１の第２図から、誘電体８と誘電体６の中に埋め込まれ、且つ外部電極１２，１３と非接触状態にあることは明らかであるから、引用発明の「導電体７は、誘電体８と誘電体６の中に埋め込まれ、且つ外部電極１２，１３と非接触状態にあ」ることは、本願発明の「電極層は、完全に該第１及び第２の誘電層の中に埋め込まれ、且つ該接続部材と非接触状態にあ」ることに相当する。
　
　よって、両者は、
「所定の長さ寸法及び幅寸法を有し、第１面及び第２面を備えた第１の誘電層と、
　所定の長さ寸法及び幅寸法を有し、これらの長さ寸法及び幅寸法が該第１の誘電層の該長さ寸法及び幅寸法よりもそれぞれ小さく、該第１の誘電層の該第１面に配され、他の導電部材と非接触状態にある電極層と、
　所定の長さ寸法及び幅寸法を有し、これらの長さ寸法及び幅寸法が該第１の誘電層の該長さ寸法及び幅寸法とそれぞれ対応しているとともに該電極層の上にある第２の誘電層と、
　互いに異なる極性が与えられる２つの互いに離間した接続部材とからなり、
　前記電極層は、完全に該第１及び第２の誘電層の中に埋め込まれ、且つ該接続部材と非接触状態にある
　容量素子。」である点で一致し、以下の点で相違する。
　
［相違点１］本願発明は、「一層のみの電極層」を備えているのに対して、引用発明は、導電体７の他に電極２，３も備えている点。
［相違点２］本願発明は、「第１の誘電層の第２面に接しており」、「各接続部材は第１の誘電層の幅寸法又は長さ寸法を超えて第１の誘電層の第２面から突出している」接続部材を備えているのに対して、引用発明は、コンデンサの対向する側面及び上下両端部に連続して設けられた外部電極１２，１３を備えている点。
［相違点３］本願発明は、「埋込層形容量素子」であるのに対して、引用発明は、「コンデンサ」としか記載されていない点。
　
　そこで、上記相違点について検討する。
［相違点１について］
（ａ）引用発明のコンデンサは、「外部電極１２，１３のそれぞれの端部が導電体７と対向することによって、この部分で浮遊容量が形成され、この浮遊容量は電極２と導電体７および導電体７と電極３との間で形成される静電容量に並列接続されたものとなり、外部電極１２，１３の端部の一部を除去したりして、静電容量を簡単に調整することができるコンデンサ」である。
　すなわち、引用発明のコンデンサは、外部電極１２，１３のそれぞれの端部が導電体７と対向することによる調整可能な浮遊容量（静電容量の一種）と、電極２と導電体７および導電体７と電極３との間に形成される静電容量との、２つの容量が並列接続されて構成されている。
（ｂ）刊行物２には、「誘電体基板１０内に埋置された下層導体９と誘電体基板１０表面の２つの互いに離間した導体７，８からなる容量より構成されたコンデンサを、従来のチップコンデンサの代わりに用いること」が記載されている。
（ｃ）誘電体の一面に配置された導体と誘電体の他面に配置された２つの互いに離間した導体との間の容量によりコンデンサを構成できることは、以下の周知例１ないし４にも示されるように周知技術である。
　周知例１：実願昭５２−３４５８号（実開昭５３−９８３４０号）のマイクロフィルム（第２図の「誘電体層１３の上面に配置された導電体層１４と誘電体層１３の下面に配置された２つの互いに離間した導電体層１１，１２との間の容量により構成されたコンデンサ」参照。）
　周知例２：実願昭５０−１２２０３４号（実開昭５２−３４９３０号）のマイクロフィルム（第４図の「誘電体板１の上面に配置された第三の導体９と誘電体板１の下面に配置された２つの互いに離間した第一，二の導体５，６との間の容量により構成されたコンデンサ」参照。）
　周知例３：特開昭５７−１６０１１６号公報（第２図の「誘電体１１の下面に配置された中間電極となる導体膜１４と誘電体１１の上面に配置された２つの互いに離間した電極となる導体膜１２，１３との間の容量により構成されたコンデンサ」参照。）
　周知例４：特開平３−２７６６１６号公報（第５，６図の「誘電体４の下面に配置された第３の電極３と誘電体４の上面に配置された２つの互いに離間した第１，２の電極１，２との間の容量により構成されたコンデンサ」参照。）
（ｄ）そして、引用発明では、２つの容量を並列接続して構成しているが、上記（ｂ）の刊行物２のコンデンサの形態及び上記（ｃ）の周知技術のコンデンサの形態も考慮すれば、引用発明の並列接続された２つの容量のうちの１つである、外部電極１２，１３のそれぞれの端部が導電体７と対向することによる調整可能な容量のみでもコンデンサとして機能することは、当業者が容易に理解できることである。
　よって、引用発明の並列接続された２つの容量のうちの１つである、外部電極１２，１３のそれぞれの端部が導電体７と対向することによる調整可能な容量によるコンデンサのみとすべく、引用発明において、電極２，３を省いて、本願発明のごとく「一層のみの電極層」を備えるようにすることは、当業者が容易になし得たことである。
　
［相違点２について］
（ａ）刊行物１の第２図から明らかなように、引用発明においても、外部電極１２，１３は、誘電体８の上面に接しており、さらに、誘電体８の上面の両端部とそれに連続して側面にも設けられている。すなわち、外部電極１２，１３は、誘電体８の上面に接しており、誘電体８の上面の両端部において、誘電体８の長さ寸法を超えて誘電体８の上面から側面に設けられた外部電極１２，１３の厚み分だけ突出していると言える。
　よって、相違点２については、本願発明と引用発明は、実質的には相違していない。
（ｂ）仮に、相違しているとしても、以下のとおりである。
　本願明細書及び図面においても、接続部材の形状として、本願発明に含まれる図１（下部に幅寸法を超えて突出した接続部材）、図１０（下部に長さ寸法を超えて突出した接続部材）の実施例の他に、図６（下部のみに接続部材）、図１４（下部と側部に接続部材）の例も記載されているように、外部電極の形状は、基板等へのチップ部品の接続形態を考慮して、適宜決定すべき設計事項に過ぎない。
　そして、コンデンサなどのチップ部品において、チップ部品の下面両端部に下面に接して下面から突出する外部電極を設けることは、以下の周知例５ないし８にも示されるように周知技術である。
　周知例５：特開昭６０−１７５４０６号公報（第１図（ｂ）電極１，２参照。）
　周知例６：実願昭６０−２８９３４号（実開昭６１−７６９５４号）のマイクロフィルム（第１図の端子２，３参照。）
　周知例７：実願平１−６２３１２号（実開平３−２６５５号）のマイクロフィルム（第５，６図のリード部２４参照。）
　周知例８：実願平５−３４１４０号（実開平６−８６３２３号）のＣＤ−ＲＯＭ（図２の端子１参照。）
　また、接続部材を本願発明の形状にしたことにより、当業者の予測を超えた顕著な効果を奏するとは認められない。
　よって、引用発明において、コンデンサの対向する側面及び上下両端部に連続して設けられた外部電極に代えて、コンデンサなどのチップ部品の下面両端部に下面に接して下面から突出する外部電極を採用し、引用発明が、本願発明のごとく、「第１の誘電層の第２面に接しており」、「各接続部材は第１の誘電層の長さ寸法を超えて第１の誘電層の第２面から突出している」接続部材を備えるようにすることは、当業者が必要に応じて適宜なし得たことである。
　
［相違点３について］
　［相違点１について］において、検討したとおり、引用発明において、電極２，３を省いて、本願発明のごとく「一層のみの電極層」を備えるようにすることは、当業者が容易になし得たことである。
　そして、引用発明において、電極２，３を省いて、本願発明のごとく「一層のみの電極層」を備えるようにしたものは、「埋込層形容量素子」に他ならない。
　
　また、本願発明の効果についても、刊行物１，２に記載された発明及び周知技術から予測された範囲内のものであり、格別のものとは認められない。
　
　したがって、本願発明は、刊行物１，２に記載された発明及び周知技術に基づいて、当業者が容易に発明をすることができたものである。
　
　３　むすび
　本願発明は、刊行物１，２に記載された発明及び周知技術に基づいて、当業者が容易に発明をすることができたものであるから、特許法第２９条第２項の規定により特許を受けることができない。
　
第５　特許法第２９条の２について（その１）
　１　先願明細書１に記載された発明
　原査定の拒絶の理由に引用され、本願の優先権主張日前の他の出願であって、その出願後に出願公開された特願平６−１８１２５８号（特開平８−４５７７６号公報参照。）の出願の願書に最初に添付した明細書又は図面（以下、「先願明細書１」という。）には、「低容量積層形チップセラミックコンデンサ」（発明の名称）に関して、図１とともに以下の事項が記載されている。
「【０００７】
【実施例】図１は本発明の一実施例による、２０１２タイプ低容量積層形チップセラミックコンデンサの断面図であり、コンデンサ中の内部電極１を一本のみにして、コンデンサとしての容量を得るための誘電体を有さない構成になっており、かつその内部電極１がどちらの端子外部電極２とも接続されない構造として形成した例である。
【０００８】図１で示すように、
誘電体６を所定の厚みまで積層し、その上にＰｄ内部電極１を、端子外部電極２に接続されない内部電極１用の寸法のスクリーンパターンを使用して印刷・乾燥し、更にその上に誘電体６を積層する。
端子外部電極２を設けた構造
　さらに、図１には、「コンデンサの対向する側面及び上下両端部に連続して設けられた端子外部電極２」が示されている。
　以上から、先願明細書１には、「先の誘電体６を所定の厚みまで積層し、先の誘電体６の上に内部電極１を、端子外部電極２に接続されない内部電極１用の寸法のスクリーンパターンを使用して印刷し、更にその上に後の誘電体６を積層し、コンデンサの対向する側面及び上下両端部に連続して端子外部電極２を設けた積層形チップセラミックコンデンサ。」が記載されている。（なお、「先の誘電体６」と「後の誘電体６」における「先の」と「後の」は、両者を区別するため便宜的に付加した。）
　
　２　本願発明と先願明細書１に記載された発明（以下、「先願発明１」という。）との対比判断
　本願発明と先願発明１とを対比する。
（ａ）先願発明１の「先の誘電体６」は、先願明細書１の図１などから、所定の長さ寸法及び幅寸法を有し、第１面及び第２面を備えていることは明らかであるから、先願発明１の「先の誘電体６」は、本願発明の「所定の長さ寸法及び幅寸法を有し、第１面及び第２面を備えた第１の誘電層」に相当する。
（ｂ）先願発明１の「先の誘電体６の上に内部電極１を、端子外部電極２に接続されない内部電極１用の寸法のスクリーンパターンを使用して印刷し」た内部電極１は、先願明細書１の図１などから、所定の長さ寸法及び幅寸法を有し、これらの長さ寸法及び幅寸法が先の誘電体６の該長さ寸法及び幅寸法よりもそれぞれ小さく、一層のみであることは明らかであるから、先願発明１の「先の誘電体６の上に内部電極１を、端子外部電極２に接続されない内部電極１用の寸法のスクリーンパターンを使用して印刷し」た内部電極１は、本願発明の「所定の長さ寸法及び幅寸法を有し、これらの長さ寸法及び幅寸法が該第１の誘電層の該長さ寸法及び幅寸法よりもそれぞれ小さく、該第１の誘電層の該第１面に配され、他の導電部材と非接触状態にある一層のみの電極層」に相当する。
（ｃ）先願発明１の「後の誘電体６」は、先願明細書１の図１などから、所定の長さ寸法及び幅寸法を有し、これらの長さ寸法及び幅寸法が先の誘電体の該長さ寸法及び幅寸法とそれぞれ対応しているとともに内部電極１の上にあることは明らかであるから、先願発明１の「後の誘電体６」は、本願発明の「所定の長さ寸法及び幅寸法を有し、これらの長さ寸法及び幅寸法が該第１の誘電層の該長さ寸法及び幅寸法とそれぞれ対応しているとともに該電極層の上にある第２の誘電層」に相当する。
（ｄ）先願発明１の「端子外部電極２」は、先願明細書１の図１などから、先の誘電体の下面の両端部に互いに異なる極性が与えられる２つの互いに離間した状態で設けられていることは明らかであるから、先願発明１の「端子外部電極２」は、本願発明の「第１の誘電層の該第２面に接しており、互いに異なる極性が与えられる２つの互いに離間した接続部材」に相当する。
（ｅ）先願発明１の内部電極１は、先願明細書１の図１から、一層のみで、完全に先の誘電体及び後の誘電体の中に埋め込まれ、且つ端子外部電極２と非接触状態であることは明らかであるから、先願発明１の「内部電極１は、一層のみで、完全に先の誘電体及び後の誘電体の中に埋め込まれ、且つ端子外部電極２と非接触状態である」ことは、本願発明の「一層のみの電極層は、完全に該第１及び第２の誘電層の中に埋め込まれ、且つ該接続部材と非接触状態」であることに相当する。
（ｆ）上記（ｅ）で記載したとおり先願発明１の内部電極１は、完全に先の誘電体及び後の誘電体の中に埋め込まれ、且つ端子外部電極２と非接触状態であるから、先願発明１の「積層形チップセラミックコンデンサ」は、本願発明の「埋込層形容量素子」に相当する。
　よって、両者は、
「所定の長さ寸法及び幅寸法を有し、第１面及び第２面を備えた第１の誘電層と、
　所定の長さ寸法及び幅寸法を有し、これらの長さ寸法及び幅寸法が該第１の誘電層の該長さ寸法及び幅寸法よりもそれぞれ小さく、該第１の誘電層の該第１面に配され、他の導電部材と非接触状態にある一層のみの電極層と、
　所定の長さ寸法及び幅寸法を有し、これらの長さ寸法及び幅寸法が該第１の誘電層の該長さ寸法及び幅寸法とそれぞれ対応しているとともに該電極層の上にある第２の誘電層と、
　互いに異なる極性が与えられる２つの互いに離間した接続部材とからなり、
　前記一層のみの電極層は、完全に該第１及び第２の誘電層の中に埋め込まれ、且つ該接続部材と非接触状態にある
　埋込層形容量素子。」である点で一致し、以下の点で一応相違する。
　
［相違点１］本願発明は、「第１の誘電層の第２面に接しており」、「各接続部材は第１の誘電層の幅寸法又は長さ寸法を超えて第１の誘電層の第２面から突出している」接続部材を備えているのに対して、先願発明１は、コンデンサの対向する側面及び上下両端部に連続して設けられた端子外部電極２を備えている点。
　
　そこで、上記相違点１について検討する。
（ａ）先願明細書１の図１から明らかなように、先願発明１においても、端子外部電極２は、先の誘電体の下面に接しており、さらに、先の誘電体の下面の両端部とそれに連続して側面にも設けられている。すなわち、端子外部電極２は、先の誘電体の下面に接しており、先の誘電体の下面の両端部において、先の誘電体の長さ寸法を超えて先の誘電体の下面から側面に設けられた端子外部電極の厚み分だけ突出していると言える。
　よって、相違点１については、本願発明と先願発明１は、実質的には相違していない。
（ｂ）仮に、相違しているとしても、以下のとおりである。
　外部電極の形状は、基板等へのチップ部品の接続形態を考慮して、適宜決定すべき設計事項に過ぎない。
　そして、先願発明１のように、コンデンサの対向する側面及び上下両端部に連続して外部電極を設けることは、周知技術である。
　また、本願発明のように、コンデンサなどのチップ部品において、チップ部品の下面両端部に下面に接して下面から突出する外部電極を設けることは、上記の周知例５ないし８にも示されるように、周知技術である。
　よって、先願発明１において、コンデンサの対向する側面及び上下両端部に連続して設けられた外部電極に代えて、コンデンサなどのチップ部品の下面両端部に下面に接して下面から突出する外部電極を採用すること、すなわち、本願発明のごとく、「第１の誘電層の第２面に接しており」、「各接続部材は第１の誘電層の長さ寸法を超えて第１の誘電層の第２面から突出している」接続部材を備えるようにすることは、周知技術の転換であって、新たな効果を奏するものではないから、課題解決のための具体化手段における微差に過ぎず、本願発明と先願発明１は実質同一である。
　
　したがって、本願発明は、先願発明１と実質同一である。
　
　３　むすび
　本願発明は、本願の優先権主張日前の他の出願であって、その出願後に出願公開された先願明細書１に記載された発明と同一であり、しかも、この出願の発明者がその出願前の出願に係る上記の発明をした者と同一ではなく、またこの出願の時において、その出願人がその出願前の出願に係る上記特許出願の出願人と同一でもないので、特許法第２９条の２の規定により特許を受けることができない。
　
第６　特許法第２９条の２について（その２）
　１　先願明細書２に記載された発明
　原審の拒絶理由通知に引用され、本願の優先権主張日前の他の出願であって、その出願後に出願公開された特願平５−３４６４２８号（特開平７−１８３１６３号公報参照。）の出願の願書に最初に添付した明細書又は図面（以下、「先願明細書２」という。）には、「トリミングコンデンサ」（発明の名称）に関して、図３とともに以下の事項が記載されている。
「【０００１】
【産業上の利用分野】本発明は、セラミックでなる誘電体と導電体との積層構造により、チップ状の焼結体として構成され、発振回路等において、電極のトリミングにより高い精度で容量を可変設定する必要のある場合に用いられるトリミングコンデンサに関する。
【０００２】
【従来の技術】図３（Ａ）は従来のトリミングコンデンサの例を示す縦断面図であり、スクリーン印刷法あるいはシート法またはこれらを併用した方法により、チタン酸バリウムや酸化チタン等の
誘電体１を積層し形成すると共に、一方の表面の近傍に白金、パラジウム、銀またはこれらの合金からなる内部電極２、２を形成し、表面に同じ導電材料でなるトリミング電極３を島状に、すなわち他の導電体と接続せずに形成し、切断、焼結後、側面に内部電極２、２にそれぞれ接続する外部電極（端子電極）４、４を焼き付けやメッキ等により形成してなる
トリミング電極３をレーザビーム等によってトリミングすることにより、所望の回路特性を得る
【０００３】
図３（Ｂ）の例は、表面近傍の内部電極２を島状に形成し、表面のトリミング電極３、３をそれぞれ外部電極４、４に接続したものであり、トリミング電極３、３の一方または双方をトリミングして容量を調整するものである
　さらに、図３（Ｂ）には、「誘電体１表面に２つの互いに離間したトリミング電極３、３を形成し、それぞれのトリミング電極３、３に、コンデンサの対向する側面及び上下両端部に連続して設けた外部電極４、４を接続したトリミングコンデンサ」が示されている。
　以上から、先願明細書２には、「誘電体１を積層し形成すると共に、一方の表面の近傍に内部電極２を島状に形成し、誘電体１表面に２つの互いに離間したトリミング電極３、３を形成し、それぞれのトリミング電極３、３に、コンデンサの対向する側面及び上下両端部に連続して設けた外部電極４、４を接続したトリミングコンデンサ。」が記載されている。
　
　２　本願発明と先願明細書２に記載された発明（以下、「先願発明２」という。）との対比判断
　本願発明と先願発明２とを対比する。
（ａ）先願発明２の「誘電体１」、「内部電極２」は、それぞれ本願発明の「第１の誘電層及び第２の誘電層」、「電極層」に相当する。（なお、先願発明２の図３（Ｂ）の構成と本願発明の構成は、上下関係が逆なので、対応関係も上下が逆になっている。以下、同様。）
（ｂ）先願明細書２の図３（Ｂ）などから明らかなように、先願発明２の「誘電体１を積層し形成すると共に、一方の表面の近傍に内部電極２を島状に形成し」た構成は、本願発明の「所定の長さ寸法及び幅寸法を有し、第１面及び第２面を備えた第１の誘電層と、　所定の長さ寸法及び幅寸法を有し、これらの長さ寸法及び幅寸法が該第１の誘電層の該長さ寸法及び幅寸法よりもそれぞれ小さく、該第１の誘電層の該第１面に配され、他の導電部材と非接触状態にある一層のみの電極層と、　所定の長さ寸法及び幅寸法を有し、これらの長さ寸法及び幅寸法が該第１の誘電層の該長さ寸法及び幅寸法とそれぞれ対応しているとともに該電極層の上にある第２の誘電層」に相当する。
（ｃ）先願発明２の「トリミング電極３、３」と本願発明の「接続部材」は、「導電部材」である点で共通するので、先願発明２の「誘電体１表面に２つの互いに離間したトリミング電極３、３」と、本願発明の「第１の誘電層の第２面に接しており、互いに異なる極性が与えられる２つの互いに離間した接続部材」は、「第１の誘電層の第２面に接しており、互いに異なる極性が与えられる２つの互いに離間した導電部材」である点で共通する。
（ｄ）先願発明２の「内部電極２」は、先願明細書２の図３（Ｂ）から、一層のみで、完全に誘電体１の中に埋め込まれ、且つトリミング電極３、３及び外部電極４、４と非接触状態であることは明らかであるから、先願発明２の「内部電極２は、一層のみで、完全に誘電体１の中に埋め込まれ、且つトリミング電極３、３及び外部電極４、４と非接触状態である」ことと、本願発明の「一層のみの電極層は、完全に該第１及び第２の誘電層の中に埋め込まれ、且つ該接続部材と非接触状態にあ」ることは、「一層のみの電極層は、完全に第１及び第２の誘電層の中に埋め込まれ、且つ導電部材と非接触状態」である点で共通する。
（ｅ）上記（ｄ）に記載したとおり先願発明２の内部電極２は、完全に誘電体１の中に埋め込まれ、且つトリミング電極３、３及び外部電極４、４と非接触状態であるから、先願発明２の「トリミングコンデンサ」は、本願発明の「埋込層形容量素子」に相当する。
　よって、両者は、
「所定の長さ寸法及び幅寸法を有し、第１面及び第２面を備えた第１の誘電層と、
　所定の長さ寸法及び幅寸法を有し、これらの長さ寸法及び幅寸法が該第１の誘電層の該長さ寸法及び幅寸法よりもそれぞれ小さく、該第１の誘電層の該第１面に配され、他の導電部材と非接触状態にある一層のみの電極層と、
　所定の長さ寸法及び幅寸法を有し、これらの長さ寸法及び幅寸法が該第１の誘電層の該長さ寸法及び幅寸法とそれぞれ対応しているとともに該電極層の上にある第２の誘電層と、
　互いに異なる極性が与えられる２つの互いに離間した導電部材とからなり、
　前記一層のみの電極層は、完全に該第１及び第２の誘電層の中に埋め込まれ、且つ該導電部材と非接触状態にある
　埋込層形容量素子。」である点で一致し、以下の点で一応相違する。
　
［相違点１］本願発明は、「第１の誘電層の第２面に接しており」、「各接続部材は第１の誘電層の幅寸法又は長さ寸法を超えて第１の誘電層の第２面から突出している」接続部材を備えているのに対して、先願発明２は、導電部材が「トリミング電極」であって、さらに、コンデンサの対向する側面及び上下両端部に連続して設けた外部電極４、４を備えている点。
　
　そこで、上記相違点１について検討する。
（ａ）本願発明における接続部材（なお、「接続部材」なる用語は、本願の出願当初明細書に記載がない。）は、その材質などが何ら限定されておらず、発明の詳細な説明の記載によれば、容量調整のためにトリミングされるものである。そして、先願発明２の「トリミング電極」は、導電部材なので「接続部材」として使用できるものであるから、接続部材とも言える。
　そうすると、トリミング電極と外部電極はどちらも接続部材と言えるから、先願明細書２の図３（Ｂ）から明らかなように、先願発明２においても、トリミング電極と外部電極からなる接続部材は、誘電体の上面に接しており、さらに、誘電体の両端部とそれに連続して側面にも設けられている。
　すなわち、トリミング電極と外部電極からなる接続部材は、誘電体の上面に接しており、誘電体の上面の両端部において、誘電体の長さ寸法を超えて誘電体の上面から側面に設けられた外部電極の厚み分だけ突出していると言える。
　よって、相違点１については、本願発明と先願発明２は、実質的には相違していない。
（ｂ）仮に、相違しているとしても、以下のとおりである。
　上記（ａ）に記載したとおり、先願発明２においても、トリミング電極と外部電極からなる接続部材は、誘電体の上面に接しており、さらに、誘電体の両端部とそれに連続して側面にも設けられている。
　そして、外部電極の形状は、基板等へのチップ部品の接続形態を考慮して、適宜決定すべき設計事項に過ぎない。
　また、先願発明２のように、コンデンサの対向する側面及び上下両端部に連続して外部電極を設けることは、周知技術である。
　さらに、本願発明のように、コンデンサなどのチップ部品において、チップ部品の下面両端部に下面に接して下面から突出する外部電極を設けることは、上記の周知例５ないし８にも示されるように、周知技術である。
　よって、先願発明２において、トリミング電極と外部電極からなる接続部材に代えて、コンデンサなどのチップ部品の下面両端部に下面に接して下面から突出する外部電極を採用すること、すなわち、本願発明のごとく、「第１の誘電層の第２面に接しており」、「各接続部材は第１の誘電層の長さ寸法を超えて第１の誘電層の第２面から突出している」接続部材を備えるようにすることは、周知技術の転換であって、新たな効果を奏するものではないから、課題解決のための具体化手段における微差に過ぎず、本願発明と先願発明２は実質同一である。
　
　したがって、本願発明は、先願発明２と実質同一である。
　
　３　むすび
　本願発明は、本願の優先権主張日前の他の出願であって、その出願後に出願公開された先願明細書２に記載された発明と同一であり、しかも、この出願の発明者がその出願前の出願に係る上記の発明をした者と同一ではなく、またこの出願の時において、その出願人がその出願前の出願に係る上記特許出願の出願人と同一でもないので、特許法第２９条の２の規定により特許を受けることができない。
　
第７　むすび
　以上のとおり、本願発明は、特許法第２９条第２項及び特許法第２９条の２の規定により特許を受けることができず、他の請求項に係る発明について検討するまでもなく、本願は拒絶されるべきものである。
　よって、結論のとおり審決する。